【事件の表示】
　特願２０１７−２７７８７号「遊技機」拒絶査定不服審判事件〔平成３０年　８月２３日出願公開、特開２０１８−１３０４３８号〕について、次のとおり審決する。
【結　論】
　本件審判の請求は、成り立たない。
【理　由】
第１　手続の経緯
　本願は、平成２９年２月１７日の出願であって、平成３１年３月２２日に手続補正がなされ、令和１年７月１０日付けの拒絶理由通知に対して、同年９月１９日に意見書が提出されるとともに手続補正がなされ、同年１１月２８日付けの最後の拒絶理由通知に対して、令和２年１月３０日に意見書が提出されるとともに手続補正がなされたところ、令和２年３月３１日付けで同年１月３０日付けの手続補正が却下されるとともに拒絶査定（以下、「原査定」という。）がなされ、これに対して、同年６月１１日に拒絶査定不服審判の請求がされると同時に手続補正がなされたものである。
第２　令和２年６月１１日付けの手続補正についての補正の却下の決定
［補正の却下の決定の結論］
　令和２年６月１１日付けの手続補正（以下、「本件補正」という。）を却下する。
［理由］
１　補正の内容
（１）本件補正は、明細書及び特許請求の範囲を補正するものであって、特許請求の範囲の請求項１について、本件補正前の令和１年９月１９日付けの手続補正書において、
 
「【請求項１】
　スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、
　前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
　前記選択当選種別の当選時に前記正解操作態様を報知する補助演出を実行する補助演出報知手段と、
　前記補助演出を前記補助演出報知手段に実行させるＡＴ演出状態を含む有利状態を含む複数種類の演出状態のいずれかに移行する演出状態制御手段と、
　ボーナス役の入賞によって移行するボーナス遊技状態、前記ボーナス遊技状態終了後に移行する第１ＲＴ遊技状態、前記第１ＲＴ遊技状態において所定の条件を満たすと移行する第２ＲＴ遊技状態を含む複数種類の遊技状態のいずれかに移行させる状態制御手段と、を備え、
　前記有利状態かつ前記第１ＲＴ遊技状態に滞在する場合と、前記有利状態かつ前記第２ＲＴ遊技状態に滞在する場合とでは、前記ＡＴ演出状態への移行を決定する確率が異なる遊技機。」
とあったものを、
「【請求項１】
　スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、
　前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
　前記選択当選種別の当選時に前記正解操作態様を報知する補助演出を実行する補助演出報知手段と、
　前記補助演出を前記補助演出報知手段に実行させるＡＴ演出状態を含む有利状態を含む複数種類の演出状態のいずれかに移行する演出状態制御手段と、
　ボーナス役の入賞によって移行するボーナス遊技状態、前記ボーナス遊技状態終了後に移行する第１ＲＴ遊技状態、前記第１ＲＴ遊技状態において所定の
終了
　前記有利状態かつ前記第１ＲＴ遊技状態に滞在する場合と、前記有利状態かつ前記第２ＲＴ遊技状態に滞在する場合とでは、前記ＡＴ演出状態への移行を決定する確率が異な
り、
　
遊技状態が前記第１ＲＴ遊技状態であり、かつ、所定の確定条件を満たすと前記ＡＴ演出状態への移行が確定す
と補正することを含むものである（下線部は補正箇所を示す。）。
（２）請求項１に係る前記（１）の補正は、次の補正事項からなる。
　本件補正前の請求項１に係る発明を特定するために必要な事項である「第１ＲＴ遊技状態」から「第２ＲＴ遊技状態」への「移行」の「条件」に関して、「所定の条件を満たすと」との記載を「所定の終了条件を満たすと」とする補正（以下、「補正事項１」という。）と、本件補正前の請求項１に係る発明を特定するために必要な事項である「前記ＡＴ演出状態への移行」に関して、「遊技状態が前記第１ＲＴ遊技状態であり、かつ、所定の確定条件を満たすと前記ＡＴ演出状態への移行が確定す」るとの記載を付加する補正（以下、「補正事項２」という。）。
２　補正の適否について
２−１　新規事項の追加
（１）補正事項１、補正事項２の補正の根拠について
　補正事項１については、本願の願書に最初に添付した明細書、特許請求の範囲又は図面（以下「当初明細書等」という。）の【００６３】、図８に基づいたものであると認められる。
　一方、補正事項２における「所定の確定条件」については、本件補正後の請求項１には具体的な記載がない。そのため、「遊技状態が前記第１ＲＴ遊技状態であり、かつ、所定の確定条件を満たすと前記ＡＴ演出状態への移行が確定する」という文言のみからでは、「所定の確定条件」は、「遊技状態が前記第１ＲＴ遊技状態」のときに「所定の確定条件を満たす」ことにより、「前記ＡＴ演出状態への移行が確定する」ための条件であればどのような条件であってもよく、ＡＴ演出状態への移行が確定する確定役を含む特定の役に当選することや、特異的な出目が導出されること等のあらゆる条件が含まれると認められる。
　そこで、当初明細書等をみると、補正事項２と関連する記載として以下の記載がある（下線は当審で付した。以下同じ。）。
　　　
ア　「【０１２５】
　しかし、チャンス演出状態（有利状態）では、その性能（例えば、継続遊技数の上乗せ）について遊技状態がＲＴ０〜ＲＴ４遊技状態のいずれであるかを参照してもよい。そこで、
チャンス演出状態において当選種別「ＢＢ」に当選した場合、遊技状態を参照してＡＴ演出状態への移行を確定する
【０１２６】
　具体的に、図８に示したように、
遊技状態制御手段３１２は、ボーナス役を含む当選種別が決定されたときの遊技状態に拘わらず、ボーナス遊技状態の終了後、遊技状態を、ボーナス遊技状態からＲＴ４遊技状態（特定遊技状態）に移行する仕様を採用する。
ボーナス遊技状態が終了したことに伴い再開されたチャンス演出状態において遊技状態を参照し、遊技状態がＲＴ４遊技状態であれば、ＡＴ演出状態への移行を確定する
【０１２７】 
　図１４は、ボーナス役の当選に基づくＡＴ演出状態への移行態様を説明するための説明図である。ここでは演出状態の遷移と遊技状態の遷移を時系列に示している。例えば、図１４（ａ）のように、チャンス演出状態において、ボーナス役を含む当選種別に当選したとする。そうすると、その当選種別が当選種別「設定差無ボーナス」であるか当選種別「設定差有ボーナス」であるかに拘わらず、ボーナス遊技状態が終了すると、遊技状態制御手段３１２は、遊技状態をＲＴ４遊技状態に移行する。このとき、演出状態は、ボーナス遊技状態が開始される前のチャンス演出状態に戻る。そうすると、
演出状態がチャンス演出状態であり、かつ、遊技状態がＲＴ４遊技状態となる状態を生成できる。このとき、演出状態制御手段３１４は、遊技状態がＲＴ４遊技状態であることを参照して、ＡＴ演出状態への移行を確定する
 ・・・・・
【０１２９】
　このように、ボーナス役を含む当選種別が決定されたときの遊技状態に拘わらず、ボーナス遊技状態の終了後、遊技状態を、ボーナス遊技状態からＲＴ４遊技状態に移行し、かつ、
チャンス演出状態において遊技状態を参照して、遊技状態がＲＴ４遊技状態であれば、ＡＴ演出状態への移行を確定する
イ　「【０１７１】
（ステップＳ３１６）
　上記ステップＳ３１５において
チャンス演出状態であると判定されれば、演出状態制御手段３１４は、現在の遊技状態がＲＴ４遊技状態であるか否か判定する
【０１７２】
（ステップＳ３１７）
　上記ステップＳ３１６において
ＲＴ４遊技状態であると判定されれば、演出状態制御手段３１４は、演出状態をＡＴ演出状態に移行する
ウ　「図１４
図１７
」
（２）当審の判断
　本件補正後の請求項１において「前記ボーナス遊技状態終了後に移行する第１ＲＴ遊技状態」と特定されていること、当初明細書等の段落【０１２６】に「遊技状態制御手段３１２は、ボーナス役を含む当選種別が決定されたときの遊技状態に拘わらず、ボーナス遊技状態の終了後、遊技状態を、ボーナス遊技状態からＲＴ４遊技状態（特定遊技状態）に移行する仕様を採用する。」と記載されていることから、補正事項２の「第１ＲＴ遊技状態」は、当初明細書等に記載の「ＲＴ４遊技状態」に対応する。（なお、請求人も、令和１年９月１９日付け意見書の【意見の内容】２．、令和２年１月３０日付け意見書の【意見の内容】２．、審判請求書の【請求の理由】の３．（２）において、「第１ＲＴ遊技状態」は、「ＲＴ４遊技状態」であると説明している。）
　そして、当初明細書の段落【０１２６】の「ボーナス遊技状態が終了したことに伴い再開されたチャンス演出状態において遊技状態を参照し、遊技状態がＲＴ４遊技状態であれば、ＡＴ演出状態への移行を確定する」との記載、段落【０１２７】の「演出状態がチャンス演出状態であり、かつ、遊技状態がＲＴ４遊技状態となる状態を生成できる。このとき、演出状態制御手段３１４は、遊技状態がＲＴ４遊技状態であることを参照して、ＡＴ演出状態への移行を確定する。」との記載、段落【０１２９】の「チャンス演出状態において遊技状態を参照して、遊技状態がＲＴ４遊技状態であれば、ＡＴ演出状態への移行を確定する」との記載を参酌すれば、当初明細書等には、チャンス演出状態において、遊技状態がＲＴ４遊技状態であれば、ＡＴ演出状態への移行を確定することが記載されており、「所定の確定条件」として、「演出状態がチャンス演出状態である」ことが記載されていると認められる。
　しかしながら、当初明細書等には、「所定の確定条件」として、「演出状態がチャンス演出状態である」こと以外（例えば、ＡＴ演出状態への移行が確定する確定役を含む特定の役に当選することや、特異的な出目が導出されること等）について記載されているということはできない。
　そうすると、補正事項２は、当初明細書等のすべての記載を総合することにより導かれる技術的事項との関係において、新たな技術的事項を導入しないものでない。
　したがって、補正事項２を含む本件補正は、特許法第１７条の２第３項に規定する要件を満たしていないので、同法第１５９条第１項において準用する同法第５３条第１項の規定により、却下すべきものである。
２−２　補正の目的について
　補正事項１は、本件補正前の請求項１に係る発明を特定するために必要な事項である「第１ＲＴ遊技状態」から「第２ＲＴ遊技状態」への「移行」の「条件」に関して、「所定の条件を満たすと」との記載を「所定の終了条件を満たすと」と限定する補正であり、補正事項２は、本件補正前の請求項１に係る発明を特定するために必要な事項である「前記ＡＴ演出状態への移行」に関して、「遊技状態が前記第１ＲＴ遊技状態であり、かつ、所定の確定条件を満たすと前記ＡＴ演出状態への移行が確定す」るとの限定を付加する補正である。
　そして、本件補正後の請求項１に係る発明は、本件補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
２−３　独立特許要件について
　前記２−２で検討したとおりであるから、本件補正後の請求項１に記載された発明（以下、「本願補正発明」という。）が特許出願の際独立して特許を受けることができるか否か（特許法第１７条の２第６項において準用する同法第１２６条第７項の規定に適合するか否か）についてさらに検討する。
（１）本願補正発明
　本願補正発明は、前記「１　補正の内容」において示した次のとおりのものである（Ａ〜Ｇは、当審で分説して付与した。）。
（本願補正発明）
「【請求項１】
Ａ　スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、
Ｂ　前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
Ｃ　前記選択当選種別の当選時に前記正解操作態様を報知する補助演出を実行する補助演出報知手段と、
Ｄ　前記補助演出を前記補助演出報知手段に実行させるＡＴ演出状態を含む有利状態を含む複数種類の演出状態のいずれかに移行する演出状態制御手段と、
Ｅ　ボーナス役の入賞によって移行するボーナス遊技状態、前記ボーナス遊技状態終了後に移行する第１ＲＴ遊技状態、前記第１ＲＴ遊技状態において所定の終了条件を満たすと移行する第２ＲＴ遊技状態を含む複数種類の遊技状態のいずれかに移行させる状態制御手段と、を備え、
Ｆ　前記有利状態かつ前記第１ＲＴ遊技状態に滞在する場合と、前記有利状態かつ前記第２ＲＴ遊技状態に滞在する場合とでは、前記ＡＴ演出状態への移行を決定する確率が異なり、
Ｇ　遊技状態が前記第１ＲＴ遊技状態であり、かつ、所定の確定条件を満たすと前記ＡＴ演出状態への移行が確定する遊技機。」
（２）先願発明
　原査定の拒絶理由において提示された、本願の出願の日前の他の特許出願であって、その出願後に出願公開がされた特願２０１７−４９６８号（特開２０１８−１１４００９号公報参照。以下「先願」という。）（出願日：平成２９年１月１６日、出願人：株式会社三共、発明者：小倉敏男、他１名）の願書に最初に添付された明細書（以下「先願明細書」という。）、特許請求の範囲又は図面（以下、先願明細書と併せて「先願明細書等」という。）には、「遊技機」に関して次の事項が図面とともに記載されている。（下線は、当審で付したものである。）
ア　「【００１７】
　本発明が適用された遊技機であるスロットマシンの実施例について図面を用いて説明すると、本実施例の
スロットマシン１
【００１８】
　図１（ａ）は、本実施例に係るスロットマシンの正面図であり、図１（ｂ）は、スロットマシン１の主な内部構成の一例を示す図である。図２は、リールの図柄配列を示す図である。図１（ａ）に示すように、スロットマシン１は、前面扉１ｂに液晶表示器５１が設けられ、透視窓３を介して筐体１ａ内部に並設されているリール２Ｌ、２Ｃ、２Ｒが視認可能となる。図２に示すように、各リールには、
各々が識別可能な複数種類の図柄が所定の順序で配列され
・・・・・
【００２４】
　ゲームが開始可能な状態で
スタートスイッチ７が操作されると、リール２Ｌ、２Ｃ、２Ｒを回転させて図柄を変動表示し、ストップスイッチ８Ｌ、８Ｃ、８Ｒが操作されると対応するリールの回転を停止させる
入賞ラインＬＮ上に入賞図柄の組合せが停止し入賞が発生
・・・・・
【００３１】
　賭数設定後、
スタートスイッチ７が操作されると、入賞の発生を許容するか否かを決定（内部抽選）するための内部抽選がメイン制御部４１によって行われ
、抽出した判定値が抽選対象役ごとに予め定められた所定範囲に属する判定値に該当すれば、該当した抽選対象役の当選を決定
【００３２】
　スロットマシン１において
行われる遊技の区間には、通常区間と有利区間とが含まれ
ストップスイッチ８Ｌ、８Ｃ、８Ｒの操作態様（押し順、操作タイミング）を遊技者に指示する指示機能に係る性能を持つ区間であ
有利区間は、ＡＴ（アシストタイム）やＣＺ（チャンスゾーン）といった有利状態に制御された区間であ
【００３３】
　
ＡＴは、メイン制御部４１によって制御され、ストップスイッチ８Ｌ、８Ｃ、８Ｒの操作態様（押し順、操作タイミング）を遊技者に報知するナビ演出が実行される報知状態であ
【００３４】
　・・・
メイン制御部４１は、ＡＴ中において
押し順ベルや押し順リプレイといった押し順役に当選したときに、当選した押し順役に対応しかつ遊技者にとって有利な図柄組合せを入賞ラインＬＮ上に停止させるための操作態様をナビ演出によって報知
・・・・・
【００３９】
　前述したように、「有利区間」には、ＡＴのような報知状態に制御されている区間と、ＣＺのような有利状態に制御されている区間とが含まれる。一方、
ＡＴ及びＣＺのいずれも制御されていない通常状態である区間
通常区間
イ　「【００６２】
　
メイン制御部４１は、ゲーム処理を行って１回のゲームを制御
【００６３】
　賭数設定後、スタートスイッチ７が操作されると、入賞の発生を許容するか否かを決定（内部抽選）するための内部抽選処理が行われる。
【００６４】
　また、内部抽選処理においては、内部抽選が行われた後、当該内部抽選の結果に応じたコマンドを設定するための内部抽選時コマンド設定処理が実行される。メイン制御部４１は、内部抽選により設定された内部当選フラグを読み出し、いずれかの抽選対象役に当選したときには当該抽選対象役が属するグループを特定するための内部当選コマンドをコマンドキューに設定する。例えば、メイン制御部４１は、後述する左ベル、中ベル、及び右ベルのいずれかに当選したときには、これらの役が属する押し順ベルのグループを特定可能な内部当選コマンドを送信する。尚、いずれの抽選対象役にも当選していないときには、はずれを特定するための内部当選コマンドが設定される。
・・・・・
【００６８】
　内部抽選処理が終了すると、
リール回転処理が行われ
・・・・・
【００７０】
　入賞判定処理が終了すると、払出処理が行われる。払出処理では、入賞の発生に応じてメダルの払い出しまたはクレジット加算や、入賞に関わらない各種の処理（例えば、ボーナス中のメダル払出枚数を計数してボーナスの終了制御に関する処理や、持ち越しのない当選フラグ（小役・再遊技役等の当選フラグ）の消去など）が行われる。
ゲーム終了時処理
次のゲームに備えて遊技状態を設定する
を実行
・・・・・
【００７９】
　メイン制御部４１は、ＡＴ中においてナビ対象役に当選したときには、当該ナビ対象役に応じた正解手順を特定可能な押し順コマンドを出力する。その結果、
サブ制御部９１は
ナビ演出を実行
ウ　「【００９３】
　図４は、メイン制御部４１が実行する
通常区間処理
メイン制御部４１は、スタートスイッチ７が操作された場合
、内部抽選を実行
次に、
有利区間移行抽選を実行
ＣＺ抽選が含まれる
 ・・・・・
【００９５】
　次に、メイン制御部４１は、有利区間移行抽選で当選したか否かを判定する（Ｓ１５）。メイン制御部４１は、有利区間移行抽選で当選していない場合（Ｓ１５でＮＯ）、再びＳ１０の処理に戻る。一方、メイン制御部４１は、
有利区間移行抽選で当選した場合
、
【００９６】
　次に、メイン制御部４１は、
有利区間移行処理を実行
有利区間処理へ移行し
【００９７】
　図５を参照しながら、メイン制御部４１が実行する
有利区間処理
 ・・・・・
【０１０２】
　一方、メイン制御部４１は、ナビカウンタの値が０である場合（Ｓ３７でＹＥＳ）、任意の終了条件が成立したか否かを判定する（Ｓ３８）。任意の終了条件は、任意に設定可能である。例えば、カウント純増枚数が２９９９枚に達すること、あるいは後述するように特定の役に入賞したことなどを任意の終了条件としてもよい。メイン制御部４１は、任意の終了条件が成立していない場合（Ｓ３８でＮＯ）、本ルーチンを終了する。一方、メイン制御部４１は、
任意の終了条件が成立した場合
、
【０１０３】
　次に、メイン制御部４１は、リミット処理を行い（Ｓ４０）、有利区間にかかわる全ての情報を初期化する。これにより、例えば、リミット処理が行われてＡＴが終了する。尚、リミット処理は、設定値にかかわらず実行される。その後、メイン制御部４１は、有利区間報知ランプ１９を消灯させる（Ｓ４１）。それ以降、メイン制御部４１は、
通常区間処理へ移行し
エ　「【０１０９】
　図７は、遊技状態の遷移を説明するための図であり、図８は、遊技状態の概要を示す図である。図７及び図８に示すように、スロットマシン１では、
制御可能な遊技状態として、ＲＴ０、ＲＴ１、ＲＴ２、ＲＴ３、内部中、及びＢＢ
が設けられ
【０１１０】
　設定変更された後には、まずＲＴ１に制御される。
ＲＴ１においては、押し順ベルが当選したときに主役の入賞を取りこぼすと取りこぼし目が導出し、当該取りこぼし目の導出を条件に、ＲＴ０に遊技状態が移行
ＲＴ０〜３のいずれにおいても、ＢＢ当選すると、内部中に遊技状態が移行
内部中においては、ＢＢ入賞すると、ＢＢに遊技状態が移行
【０１１１】
　図９は、小役の種類、小役の図柄組合せ、及び小役に関連する技術事項について説明するための図である。図９に示すように、
入賞役のうちの小役には、中段ベル、右下がりベル、上段ベル１〜８、右下がりベル、上段スイカ、中段スイカ、下段チェリー、中段チェリー、１枚役１、２、及びＢＢが含まれ
内部抽選において上段ベル１〜８に当選していても、中リール２Ｃや右リール２Ｒの停止操作を適正なタイミングで行わなければ、当選している上段ベル１〜８を入賞させることができず、上段ベル１〜８の入賞を取りこぼすことにな
【０１１２】
　図１０は、再遊技役の種類、再遊技役の図柄組合せ、及び再遊技役に関連する技術事項について説明するための図である。図１０に示すように、
入賞役のうちの再遊技役には、通常リプレイ、制御用リプレイ１〜３、転落リプレイ１、２、昇格リプレイ、及び特殊リプレイが含まれ
内部抽選において特殊リプレイに当選すると、ストップスイッチの操作タイミングにかかわらず必ず特殊リプレイが入賞する
オ　「【０１１３】
　図１１及び図１２は、遊技状態ごとの抽選対象役について説明するための図である。抽選対象役欄には、その名称を示し、遊技状態欄には、ＲＴの種類ごとに、丸印でその抽選対象役が抽選対象であることを示し、丸印の下の数値により当選確率にかかわる判定値数を示している。」
カ　「【０１２５】
　図１３は、抽選対象役により入賞が許容される役の組合せについて説明するための図である。図１３に示すように、
各抽選対象役は、単数あるいは複数の役が組み合わされて抽選対象とな
【０１２６】
　図１４は、押し順ベル当選時のリール制御を説明するための図である。図１４に示すように、いずれかの
押し順ベルに当選したときには、当選した押し順ベルの種類に応じて正解手順が定められ
正解手順でストップスイッチが操作されると、主役である右下がりベルや中段ベルが入賞し、不正解手順でストップスイッチが操作されると、副役であるいずれかの上段ベルが入賞するか、あるいは入賞を取りこぼして取りこぼし目が導出される
キ　「【０１３７】
　図１６（ｃ）に示すように、
ＣＺ中のＡＴ抽選は、設定差のない弱チェリー１、２、弱スイカ１、２、強チェリー、強スイカ、中段チェリー、及び特殊リプレイが抽選対象役とな
メイン制御部４１は、
当選確率に基づき、抽選対象役の種類に応じてＡＴ当選するか否かを決定
【０１３８】
　例えば、
ＣＺ中に特殊リプレイに当選したときには、２５％の確率
でＡＴ当選する
ＲＴ０中に特殊リプレイに当選する確率は、約１／３である
ため、ＲＴ０中のＣＺでは、約１／１２（内部当選確率１／３とＡＴ当選確率１／４との乗算）の確率でＡＴ当選し得る
ク　「図７
図１１
図１２
図１３
図１４
図１６
」
ケ　上記記載事項エの【０１１０】には、「ＢＢは、メダルの払出枚数が３５０枚を超えると終了し、ＲＴ１に遊技状態が移行する」ことが記載されている。
　そうすると、先願明細書等には、遊技状態として、「
ＢＢ終了後に移行するＲＴ１
コ　上記記載事項カの【０１２６】には、「図１４に示すように、いずれかの押し順ベルに当選したときには、当選した押し順ベルの種類に応じて正解手順が定められている。例えば、左ベル１〜４には正解手順として左第１停止が定められ、中ベル１〜４には正解手順として中第１停止が定められ、右ベル１〜４には正解手順として右第１停止が定められている。」と記載され、上記記載事項クの図１３より、抽選対象役が複数種類あり、抽選対象役に左ベル１〜４、中ベル１〜４、右ベル１〜４の押し順ベルが含まれることが見て取れる。
　そうすると、先願明細書等には、「
押し順ベルを含む複数種類の抽選対象役
サ　上記記載事項アの段落【００３３】には、「メイン制御部４１は、ＡＴに制御する権利となるＡＴゲームの付与に関するＡＴ抽選を実行する。」と記載されている。
　そして、上記記載事項オの段落【０１１３】の「図１１及び図１２は、遊技状態ごとの抽選対象役について説明するための図である。抽選対象役欄には、その名称を示し、遊技状態欄には、ＲＴの種類ごとに、丸印でその抽選対象役が抽選対象であることを示し、丸印の下の数値により当選確率にかかわる判定値数を示している。」との記載、上記記載事項キの段落【０１３７】の「図１６（ｃ）に示すように、ＣＺ中のＡＴ抽選は、設定差のない弱チェリー１、２、弱スイカ１、２、強チェリー、強スイカ、中段チェリー、及び特殊リプレイが抽選対象役となる。そして、メイン制御部４１は、図１６（ｃ）に示す当選確率に基づき、抽選対象役の種類に応じてＡＴ当選するか否かを決定する。」との記載及び上記記載事項クの図１１、図１２、１６（ｃ）より、ＣＺ中のＡＴ抽選を実行する弱チェリー１、２、弱スイカ１、２、強チェリー、強スイカ、中段チェリー、及び特殊リプレイのうち、ＣＺ中のＡＴ抽選を実行する弱チェリー１、２、弱スイカ１、２、強チェリー、強スイカ、中段チェリーは、遊技状態がＲＴ０、ＲＴ１における判定値数が同数であることから、遊技状態がＲＴ０、ＲＴ１において、これらの小役によるＡＴ当選の確率は同じであると認められる。一方、特殊リプレイは、遊技状態がＲＴ０における判定値数が２１８４５であり、ＲＴ１における判定値が無いことがみてとれる。そうすると、先願明細書等において、ＣＺ中でＲＴ０中である場合は、ＣＺ中でＲＴ１中である場合よりも、特殊リプレイによるＡＴ抽選が実行される分、ＡＴ当選の確率が高いといえる。
　よって、先願明細書等には、「
ＣＺ中でＲＴ０中である場合は、ＣＺ中でＲＴ１中である場合とよりも、ＡＴ当選の確率が高い
　そして、前記記載事項ア〜ク及び認定事項ケ〜サを総合すると、先願明細書等には、以下の発明（以下、「先願発明」という。）が記載されていると認められる（ａ〜ｇは、本願補正発明のＡ〜Ｇに対応させて当審にて付与した。また、丸括弧内に示された段落番号は、先願明細書等における引用箇所を示す。）。
（先願発明）
「ａ　スタートスイッチ７が操作されると、入賞の発生を許容するか否かを決定（内部抽選）するための内部抽選がメイン制御部４１によって行われ、抽出した判定値が押し順ベルを含む複数種類の抽選対象役ごとに予め定められた所定範囲に属する判定値に該当すれば、該当した抽選対象役の当選を決定し（【００３１】、認定事項コ）、
　各抽選対象役は、単数あるいは複数の役が組み合わされて抽選対象となり（【０１２５】）、
　押し順ベルに当選したときには、当選した押し順ベルの種類に応じて正解手順が定められ、正解手順でストップスイッチが操作されると、主役である右下がりベルや中段ベルが入賞し、不正解手順でストップスイッチが操作されると、副役であるいずれかの上段ベルが入賞するか、あるいは入賞を取りこぼして取りこぼし目が導出されるものであり（【０１２６】）、
ｂ　メイン制御部４１は、ゲーム処理を行って１回のゲームを制御し、スタートスイッチ７が操作されると、各々が識別可能な複数種類の図柄が所定の順序で配列されたリール２Ｌ、２Ｃ、２Ｒを回転させて図柄を変動表示し、ストップスイッチ８Ｌ、８Ｃ、８Ｒが操作されると対応するリールの回転を停止させるリール回転処理を行い、入賞ラインＬＮ上に入賞図柄の組合せが停止し入賞が発生し（【００１８】、【００２４】、【００６２】、【００６８】）、
　入賞役のうちの小役には、中段ベル、右下がりベル、上段ベル１〜８、右下がりベル、上段スイカ、中段スイカ、下段チェリー、中段チェリー、１枚役１、２、及びＢＢが含まれ、内部抽選において上段ベル１〜８に当選していても、中リール２Ｃや右リール２Ｒの停止操作を適正なタイミングで行わなければ、当選している上段ベル１〜８を入賞させることができず、上段ベル１〜８の入賞を取りこぼすことになり（【０１１１】）、
　入賞役のうちの再遊技役には、通常リプレイ、制御用リプレイ１〜３、転落リプレイ１、２、昇格リプレイ、及び特殊リプレイが含まれ、内部抽選において特殊リプレイに当選すると、ストップスイッチの操作タイミングにかかわらず必ず特殊リプレイが入賞するものであり（【０１１２】）、
ｃ　メイン制御部４１は、ＡＴ中において押し順ベルや押し順リプレイといった押し順役に当選したときに、当選した押し順役に対応しかつ遊技者にとって有利な図柄組合せを入賞ラインＬＮ上に停止させるための操作態様をナビ演出によって報知し、サブ制御部９１は、ナビ演出を実行し（【００３４】、【００７９】）、
ｄ　行われる遊技の区間には、通常区間と有利区間とが含まれ、有利区間は、ＡＴ（アシストタイム）やＣＺ（チャンスゾーン）といった有利状態に制御された区間であり、ストップスイッチ８Ｌ、８Ｃ、８Ｒの操作態様（押し順、操作タイミング）を遊技者に指示する指示機能に係る性能を持つ区間であり、ＡＴは、メイン制御部４１によって制御され、ストップスイッチ８Ｌ、８Ｃ、８Ｒの操作態様（押し順、操作タイミング）を遊技者に報知するナビ演出が実行される報知状態であり、通常区間は、ＡＴ及びＣＺのいずれも制御されていない通常状態である区間であり（【００３２】、【００３３】、【００３９】）、
　メイン制御部４１は、通常区間処理において、スタートスイッチ７が操作された場合、内部抽選を実行し、次に、ＣＺ抽選が含まれる有利区間移行抽選を実行し、有利区間移行抽選で当選した場合、有利区間移行処理を実行し、有利区間処理へ移行し（【００９３】、【００９５】、【００９６】）、有利区間処理において、任意の終了条件が成立した場合、通常区間処理へ移行し（【００９７】、【０１０２】、【０１０３】）、
ｅ　メイン制御部４１は、次のゲームに備えて遊技状態を設定するゲーム終了時処理を実行し（【００６２】、【００７０】）、
　制御可能な遊技状態として、ＲＴ０、ＢＢ終了後に移行するＲＴ１、ＲＴ２、ＲＴ３、内部中、及びＢＢが設けられ（【０１０９】、認定事項ケ）、
　ＲＴ１においては、押し順ベルが当選したときに主役の入賞を取りこぼすと取りこぼし目が導出し、当該取りこぼし目の導出を条件に、ＲＴ０に遊技状態が移行し、ＲＴ０〜３のいずれにおいても、ＢＢ当選すると、内部中に遊技状態が移行し、内部中においては、ＢＢ入賞すると、ＢＢに遊技状態が移行し（【０１１０】）、
ｆ、ｇ　ＣＺ中のＡＴ抽選は、設定差のない弱チェリー１、２、弱スイカ１、２、強チェリー、強スイカ、中段チェリー、及び特殊リプレイが抽選対象役となり、メイン制御部４１は、当選確率に基づき、抽選対象役の種類に応じてＡＴ当選するか否かを決定し（【０１３７】）、
　ＣＺ中に特殊リプレイに当選したときには、２５％の確率でＡＴ当選するものであり（【０１３８】）、
　ＣＺ中でＲＴ０中である場合は、ＣＺ中でＲＴ１中である場合よりも、ＡＴ当選の確率が高く（認定事項サ）、
　ＲＴ０中に特殊リプレイに当選する確率は、約１／３であるため、ＲＴ０中のＣＺでは、約１／１２（内部当選確率１／３とＡＴ当選確率１／４との乗算）の確率でＡＴ当選し得る（【０１３８】）スロットマシン１（【００１７】）。」
（３）対比
　本願補正発明と先願発明とを、分説に従い対比する。
ア　先願発明の構成ａの「スタートスイッチ７が操作されると」は、本願補正発明の構成Ａの「スタートスイッチの操作に基づき」に相当する。
　先願発明の構成ａの「押し順ベル」は、「正解手順でストップスイッチが操作されると、主役である右下がりベルや中段ベルが入賞し、不正解手順でストップスイッチが操作されると、副役であるいずれかの上段ベルが入賞するか、あるいは入賞を取りこぼして取りこぼし目が導出されるもの」であるから、「主役である右下がりベルや中段ベル」と「副役であるいずれかの上段ベル」が重複して当選しているといえ、先願発明の構成ａの「主役である右下がりベルや中段ベル」、「副役であるいずれかの上段ベル」は、本願補正発明の構成Ａの「選択当選役」、「他の当選役」に相当する。
　また、先願発明の構成ａの「押し順ベル」は、「正解手順でストップスイッチが操作されると、主役である右下がりベルや中段ベルが入賞」するものであるから、先願発明の構成ａの「正解手順」は、本願補正発明の構成Ａの「所定の正解操作態様」に相当する。
　よって、先願発明の構成ａの「正解手順でストップスイッチが操作されると、主役である右下がりベルや中段ベルが入賞し、不正解手順でストップスイッチが操作されると、副役であるいずれかの上段ベルが入賞するか、あるいは入賞を取りこぼして取りこぼし目が導出される」「押し順ベル」は、本願補正発明の構成Ａの「選択当選役と他の当選役が重複した当選種別であり所定の正解操作態様による操作が前記選択当選役の入賞条件として設定された選択当選種別」に相当する。
　そうすると、先願発明の構成ａの「スタートスイッチ７が操作されると、入賞の発生を許容するか否かを決定（内部抽選）するための内部抽選」を「行」い、「抽出した判定値が」「正解手順でストップスイッチが操作されると、主役である右下がりベルや中段ベルが入賞し、不正解手順でストップスイッチが操作されると、副役であるいずれかの上段ベルが入賞するか、あるいは入賞を取りこぼして取りこぼし目が導出される」「押し順ベルを含む複数種類の抽選対象役ごとに予め定められた所定範囲に属する判定値に該当すれば、該当した抽選対象役の当選を決定」する「メイン制御部４１」は、本願補正発明の構成Ａの「スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段」に相当する。
イ　先願発明の構成ｂの「スタートスイッチ７が操作されると」、「各々が識別可能な複数種類の図柄が所定の順序で配列されたリール２Ｌ、２Ｃ、２Ｒ」は、それぞれ本願補正発明の構成Ｂの「前記スタートスイッチの操作に基づき」、「複数種類の図柄がそれぞれ配列された複数のリール」に相当する。
　また、先願発明の構成ｂの「メイン制御部４１は、」「リール２Ｌ、２Ｃ、２Ｒを回転させて図柄を変動表示し、ストップスイッチ８Ｌ、８Ｃ、８Ｒが操作されると対応するリールの回転を停止させるリール回転処理を行」うものであり、「リール回転処理」が、「リール２Ｌ、２Ｃ、２Ｒ」の「図柄を変動表示」する制御と、「リールの回転を停止させる」制御を行うことは明らかである。
　よって、先願発明の構成ｂの「リール２Ｌ、２Ｃ、２Ｒを回転させて図柄を変動表示」する「リール回転処理を行」うこと、「リールの回転を停止させる」「リール回転処理を行」うことは、それぞれ本願補正発明の構成Ｂの「複数のリールを回転制御」すること、「操作された前記ストップスイッチに対応するリールをそれぞれ停止制御する」ことに相当する。
　さらに、先願発明の構成ｂの「ストップスイッチ８Ｌ、８Ｃ、８Ｒが操作されると対応するリールの回転を停止させる」との記載、「入賞ラインＬＮ上に入賞図柄の組合せが停止し入賞が発生し」との記載、「内部抽選において上段ベル１〜８に当選していても、中リール２Ｃや右リール２Ｒの停止操作を適正なタイミングで行わなければ、当選している上段ベル１〜８を入賞させることができず」との記載より、「入賞」が「発生」する「リールの回転」の「停止」は、「ストップスイッチ８Ｌ、８Ｃ、８Ｒ」の「操作」に応じてなされるものであり、「内部抽選」に基づくものであるといえる。
　よって、先願発明の構成ｂの「スタートスイッチ７が操作されると、各々が識別可能な複数種類の図柄が所定の順序で配列されたリール２Ｌ、２Ｃ、２Ｒを回転させて図柄を変動表示し、ストップスイッチ８Ｌ、８Ｃ、８Ｒが操作されると対応するリールの回転を」「ストップスイッチ８Ｌ、８Ｃ、８Ｒ」の「操作」に応じ、「内部抽選」に基づいて、「停止させるリール回転処理を行」う「メイン制御部４１」は、本願補正発明の構成Ｂの「前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段」に相当する。
ウ　先願発明の構成ｃの「押し順ベル」「に当選したときに、当選した押し順役に対応しかつ遊技者にとって有利な図柄組合せを入賞ラインＬＮ上に停止させるための操作態様を」「報知する」「ナビ演出」は、本願補正発明の構成Ｃの「前記選択当選種別の当選時に前記正解操作態様を報知する補助演出」に相当する。
　よって、先願発明の構成ｃの「押し順ベル」「に当選したときに、当選した押し順役に対応しかつ遊技者にとって有利な図柄組合せを入賞ラインＬＮ上に停止させるための操作態様を」「報知する」「ナビ演出」を「実行」する「サブ制御部９１」は、本願補正発明の構成Ｃの「前記選択当選種別の当選時に前記正解操作態様を報知する補助演出を実行する補助演出報知手段」に相当する。
エ　先願発明の構成ｄの「メイン制御部４１によって制御され、ストップスイッチ８Ｌ、８Ｃ、８Ｒの操作態様（押し順、操作タイミング）を遊技者に報知するナビ演出が実行される報知状態であ」る「ＡＴ（アシストタイム）」は、本願補正発明の構成Ｄの「前記補助演出を前記補助演出報知手段に実行させるＡＴ演出状態」に相当する。
　また、先願発明の構成ｄの「ＡＴ（アシストタイム）やＣＺ（チャンスゾーン）といった有利状態」は、本願補正発明の構成Ｄの「ＡＴ演出状態を含む有利状態」に相当し、先願発明の構成ｄの「ＡＴ（アシストタイム）やＣＺ（チャンスゾーン）といった有利状態」と「ＡＴ及びＣＺのいずれも制御されていない通常状態」は、本願補正発明の構成Ｄの「ＡＴ演出状態を含む有利状態を含む複数種類の演出状態」に相当する。
　さらに、先願発明の構成ｄの「メイン制御部４１は、」「有利区間移行処理を実行し、有利区間処理へ移行し」、「有利区間処理において、任意の終了条件が成立した場合、通常区間処理へ移行」するものである。
　よって、先願発明の構成ｄの「メイン制御部４１によって制御され、ストップスイッチ８Ｌ、８Ｃ、８Ｒの操作態様（押し順、操作タイミング）を遊技者に報知するナビ演出が実行される報知状態であ」る「ＡＴ（アシストタイム）」「やＣＺ（チャンスゾーン）といった有利状態」「に制御された」「有利区間」と「ＡＴ及びＣＺのいずれも制御されていない通常状態である」「通常区間」へ「移行」する「メイン制御部４１」は、本願補正発明の構成Ｄの「前記補助演出を前記補助演出報知手段に実行させるＡＴ演出状態を含む有利状態を含む複数種類の演出状態のいずれかに移行する演出状態制御手段」に相当する。
オ　先願発明の構成ｅの「ＢＢ入賞すると」「移行」する「ＢＢ」、「ＢＢ終了後に移行するＲＴ１」は、それぞれ本願補正発明の構成Ｅの「ボーナス役の入賞によって移行するボーナス遊技状態」、「前記ボーナス遊技状態終了後に移行する第１ＲＴ遊技状態」に相当する。
　また、先願発明の構成ｅにおいて、「ＲＴ１においては、押し順ベルが当選したときに主役の入賞を取りこぼすと取りこぼし目が導出し、当該取りこぼし目の導出を条件に、ＲＴ０に遊技状態が移行し」ていることから、先願発明の構成ｅの「取りこぼし目の導出」、「ＲＴ１において」「取りこぼし目の導出を条件に」「移行」する「ＲＴ０」は、それぞれ本願補正発明の構成Ｅの「所定の終了条件」、「前記第１ＲＴ遊技状態において所定の終了条件を満たすと移行する第２ＲＴ遊技状態」に相当する。
　さらに、先願発明の構成ｅにおいて、「制御可能な遊技状態として、ＲＴ０、ＢＢ終了後に移行するＲＴ１、ＲＴ２、ＲＴ３、内部中、及びＢＢが設けられ」ていること、「メイン制御部４１は、次のゲームに備えて遊技状態を設定するゲーム終了時処理を実行」することから、「メイン制御部４１」が、「ＲＴ０、ＢＢ終了後に移行するＲＴ１、ＲＴ２、ＲＴ３、内部中、及びＢＢ」の制御をすることは明らかである。
　よって、先願発明の構成ｅの「ＢＢ入賞すると」「移行」する「ＢＢ」、「ＢＢ終了後に移行するＲＴ１」、「ＲＴ１において」「取りこぼし目の導出を条件に」「移行」する「ＲＴ０」の「遊技状態を設定するゲーム終了時処理を実行」する「メイン制御部４１」は、本願補正発明の構成Ｅの「ボーナス役の入賞によって移行するボーナス遊技状態、前記ボーナス遊技状態終了後に移行する第１ＲＴ遊技状態、前記第１ＲＴ遊技状態において所定の終了条件を満たすと移行する第２ＲＴ遊技状態を含む複数種類の遊技状態のいずれかに移行させる状態制御手段」に相当する。
カ　先願発明の構成ｆ、ｇの「ＣＺ中でＲＴ０中である場合は、ＣＺ中でＲＴ１中である場合よりも、ＡＴ当選の確率が高く」より、「ＣＺ中でＲＴ０中である場合」と「ＣＺ中でＲＴ１中である場合」とでは、「ＡＴ当選の確率」が異なることは明らかであるから、先願発明の構成ｆ、ｇの「ＣＺ中でＲＴ０中である場合は、ＣＺ中でＲＴ１中である場合よりも、ＡＴ当選の確率が高く」は、本願補正発明の構成Ｆの「前記有利状態かつ前記第１ＲＴ遊技状態に滞在する場合と、前記有利状態かつ前記第２ＲＴ遊技状態に滞在する場合とでは、前記ＡＴ演出状態への移行を決定する確率が異なり」に相当する。
キ　先願発明の構成ｆ、ｇにおいて、「ＣＺ中に特殊リプレイに当選したときには、２５％の確率でＡＴ当選するものであ」り、「ＲＴ０中に特殊リプレイに当選する確率は、約１／３であるため、ＲＴ０中のＣＺでは、約１／１２（内部当選確率１／３とＡＴ当選確率１／４との乗算）の確率でＡＴ当選し得る」ものである。
　そして、先願発明の構成ｆ、ｇにおいて、「特殊リプレイに当選」し、「２５％の確率でＡＴ当選する」ことによりＡＴへの移行が確定することは自明であるから、先願発明の構成ｆ、ｇの「特殊リプレイに当選」し、「２５％の確率でＡＴ当選する」ことは、本願補正発明の構成Ｇの「所定の確定条件を満たす」ことに相当する。
　よって、先願発明の構成ｆ、ｇの「ＲＴ０中に特殊リプレイに当選」し、「２５％の確率でＡＴ当選する」「スロットマシン１」は、本願補正発明の構成Ｇの「遊技状態が前記第１ＲＴ遊技状態であり、かつ、所定の確定条件を満たすと前記ＡＴ演出状態への移行が確定する遊技機」に相当する。
　そうすると、本願補正発明と先願発明は、全ての構成において一致し、相違する点はないから、本願補正発明と先願発明は同一である。
（４）請求人の主張について
　請求人は、令和２年６月１１日付けの審判請求書の「３．本願発明が特許されるべき理由」の「（４）本願発明と引用発明との対比」において、
「本件審判請求書と同日付け手続補正書の補正後の請求項１に係る発明における、遊技状態が「第１ＲＴ遊技状態（先願１のＲＴ１に相当）」であり、かつ、「所定の確定条件を満たすと」ＡＴ演出状態への移行が確定する構成について、先願１には記載も示唆もない。」と主張するが、本願補正発明の構成Ｇの「遊技状態が前記第１ＲＴ遊技状態であり、かつ、所定の確定条件を満たすと前記ＡＴ演出状態への移行が確定する」との構成は、前記２−３「（３）対比」のキにおいて検討したように、先願発明が備えている構成であるから、審判請求人の前記主張は採用することができない。
３　まとめ
　上記２−１のとおり、本件補正は、特許法第１７条の２第３項の規定に違反するものであるから、同法第１５９条第１項において読み替えて準用する同法第５３条第１項の規定により却下すべきものである。
　また、上記２−３のとおり、本願補正発明は、特許法第２９条の２の規定により特許を受けることができず、特許出願の際独立して特許を受けることができないものであるから、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、前記第２のとおり却下されることとなったので、令和１年９月１９日付けの手続補正書の特許請求の範囲の請求項１に係る発明（以下「本願発明」という。）は、前記第２の「１　補正の内容」に示した令和１年９月１９日付けの手続補正書の特許請求の範囲の請求項１のとおりのものであると認める。
　　　
２　原査定の拒絶の理由の概要
　原査定の拒絶の理由は、次のとおりのものである。
（拡大先願）この出願の下記の請求項に係る発明は、その出願の日前の特許出願であって、その出願後に特許掲載公報の発行又は出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
・請求項１
・引用文献等１
１．特願２０１７−４９６８号（特開２０１８−１１４００９号）
３　先願発明
　先願明細書等の記載事項及び先願発明の認定については、上記「第２［理由］２−３（２）」に説示したとおりである。
４　対比・判断
　本願発明は、前記第２の「２−３」で検討した本願補正発明の構成Ｅの「所定の終了条件」が「所定の条件」と上位概念化され、本願補正発明の構成Ｇの「遊技状態が前記第１ＲＴ遊技状態であり、かつ、所定の確定条件を満たすと前記ＡＴ演出状態への移行が確定す」るとの限定事項を削除するものである。
　そうすると、上記「第２［理由］２−３（３）」で説示したとおり、本願発明の構成要件を全て含む本願補正発明と先願発明とは全ての構成で一致することから、本願発明と先願発明とは全ての構成で一致する。　
　したがって、本願発明は、先願発明と同一である。
第４　むすび
　以上のとおり、本願発明は、特許法第２９条の２の規定により、特許を受けることができない。
　したがって、本願は拒絶すべきである。
　よって、結論のとおり審決する。